(57)【要約】【課題】水に濡れたタオル等の濡れ物を収納した状態で持ち運びできるようにした濡れ物用バッグを提供する。【解決手段】少なくとも底部(4)に透水手段(10b)を設けたバッグ本体(1)と、該バッグ本体(1)を収容自在とするカバー体(2)とから成る。バッグ本体(1)をカバー体(2)に収容した状態で、バッグ本体の側部(5)とカバー体の側部シート(18)を相互に着脱自在に固着する固着手段(3)が設けられている。【選択図】図１
2007275487.tif 000002
【特許請求の範囲】
【請求項１】
底部(4)と側部(5)により囲まれた物品収納室(6)を有するバッグ本体(1)と、該バッグ本体を収容自在とするカバー体(2)とから成り、
前記バッグ本体(1)は、該バッグ本体を持ち運び自在とする提手(15)(16)を有すると共に、少なくとも底部(4)に物品収納室(6)を外部に連通せしめる透水手段(10b)を設け、
前記カバー体(2)は、バッグ本体の底部を覆う底部シート(17)と、バッグ本体の側部を覆う側部シート(18)により上部開放状の袋状に構成され、底部シート(17)と側部シート(18)をそれぞれ非透水性シート素材により形成しており、
バッグ本体(1)をカバー体(2)に収納した状態で、バッグ本体(1)の側部(5)とカバー体(2)の側部シート(18)を相互に着脱自在に固着する固着手段(3)を設けて成ることを特徴とする濡れ物用バッグ。
【請求項２】
前記固着手段(3)は、バッグ本体(1)の側部(5)とカバー体(2)の側部シート(18)の相互に関して、一方に設けられた雄手段(3a)と他方に設けられた雌手段(3b)とから成る嵌脱自在なスナップボタンにより構成され、該スナップボタンを外部から視認可能とするようにカバー体(2)の少なくとも側部シート(18)を透明に形成して成ることを特徴とする請求項１に記載の濡れ物用バッグ。
【発明の詳細な説明】
【技術分野】
【０００１】
本発明は、水に濡れたタオルその他の濡れ物を収納した状態で持ち運びできるようにした濡れ物用バッグに関する。
【背景技術】
【０００２】
従来、普通のバッグは、入浴用具や海水着等の水に濡れた物品や小物を収納すると、バッグの内部に水が溜まるという問題がある。この問題を解消するため、底部に水抜き孔を設けたバッグが提案されている。
【０００３】
【特許文献１】実用新案登録第３０９３０６９号公報
【発明の開示】
【発明が解決しようとする課題】
【０００４】
ところが、水抜き孔を設けたバッグは、バッグの内部に水が溜まらないので、気軽に濡れ物を収納できるという利点を有するが、その反面、内部の水が水抜き孔から落下するため、周囲を濡らしてしまうという問題がある。
【０００５】
例えば、海水浴の後、濡れた水着その他の濡れ物をバッグに収納し、乗用車で帰宅する際にバッグを座席に置くと、座席を濡らしてしまう。
【０００６】
また、温泉旅館等の大浴場で濡れたタオルその他の濡れ物をバッグに収納し、客室まで持ち帰るとき、水滴が垂れて廊下等の床面を濡らしてしまうという問題がある。
【０００７】
本発明は、上記問題点を解決し、周囲を濡らしても構わない状況では、水切り可能なバッグ本体を単独で使用し、周囲を濡らしてはならない状況では、バッグ本体をカバー体に収納することにより、バッグ本体からの排水をカバー体に滞留せしめるように構成し、しかも、カバー体を備えたバッグ本体を自由に持ち運び可能となるように構成した濡れ物用バッグを提供する。
【課題を解決するための手段】
【０００８】
そこで、本発明が手段として構成したところは、底部と側部により囲まれた物品収納室を有するバッグ本体と、該バッグ本体を収容自在とするカバー体とから成り、前記バッグ本体は、該バッグ本体を持ち運び自在とする提手を有すると共に、少なくとも底部に物品収納室を外部に連通せしめる透水手段を設け、前記カバー体は、バッグ本体の底部を覆う底部シートと、バッグ本体の側部を覆う側部シートにより上部開放状の袋状に構成され、底部シートと側部シートをそれぞれ非透水性シート素材により形成しており、バッグ本体をカバー体に収容した状態で、バッグ本体の側部とカバー体の側部シートを相互に着脱自在に固着する固着手段を設けて成る点にある。
【０００９】
前記固着手段は、バッグ本体の側部とカバー体の側部シートの相互に関して、一方に設けられた雄手段と他方に設けられた雌手段とから成る嵌脱自在なスナップボタンにより構成するのが好ましく、該スナップボタンを外部から視認可能とするようにカバー体の少なくとも側部シートを透明に形成するのが良い。
【発明の効果】
【００１０】
請求項１に記載の本発明によれば、バッグ本体１はカバー体２に収容自在であり、収容状態で着脱自在であるから、ユーザは、バッグ本体１をカバー体２に収容した状態で持ち運んでも良く、或いは、カバー体２を折畳んでバッグ本体１に収納した状態で持ち運んでも良い。そこで、例えば、ユーザが温泉旅館の大浴場や銭湯等で入浴する場合、カバー体２から分離した状態でバッグ本体１にシャンプーや石鹸、タオル等の必要物品を収納し、提手を利用して浴場まで持ち込み、前記必要物品をバッグ本体１から取出して使用すれば良い。そして、入浴後、濡れた必要物品を再度バッグ本体１に収納し、脱衣場まで持ち帰れば良い。この際、バッグ本体１は、少なくとも底部４に透水手段１０ｂを設けているので、濡れたタオル等から滲出する水を外部に排出せしめ、バッグ本体１の内部に滞留せしめることはない。
【００１１】
ところで、ユーザが着衣して旅館の客室に戻る際又は銭湯等から帰宅する際には、濡れ物を収納したバッグ本体１をカバー体２に収容すれば良い。これにより、バッグ本体１の透水手段１０ｂからの排水は、カバー体２の底部シート１７に滞留せしめられるので、周囲を濡らすことはない。即ち、温泉旅館等の大浴場から客室まで帰るとき、廊下等の床面を濡らすことはない。或いは、銭湯等から乗用車で帰宅するとき、バッグを置いた座席を濡らすことはない。
【００１２】
この際、固着手段３によりカバー体１をバッグ本体２に固着できるので、バッグ本体１を提手１５、１６により持ち運べば、同時にカバー体２も一体となって持ち運ばれる。そして、固着手段３は、バッグ本体１の側部５とカバー体２の側部シート１８の間に設けられているので、滞留する水によりカバー体２の重量が増したときでも、カバー体２がバッグ本体１から脱落することはない。
【００１３】
請求項２に記載の本発明によれば、固着手段３が、雄手段３ａと雌手段３ｂとから成る嵌脱自在なスナップボタンにより構成されているので、ワンタッチでの着脱が可能であり、作業が迅速容易である。この際、前述のようにスナップボタンをバッグ本体１の側部５とカバー体２の側部シート１８の間に設ける構成においては、ユーザが雄手段３ａと雌手段３ｂの相対位置を視認できないと作業が困難になるのに対し、本発明ではスナップボタンを外部から視認可能とするようにカバー体２の少なくとも側部シート１８を透明に形成しているので、ワンタッチによる着脱作業が容易となる。
【発明を実施するための最良の形態】
【００１４】
以下図面に基づいて本発明の好ましい実施形態を詳述する。図１に示すように、バッグ本体１は、カバー体２に収容した状態で、着脱自在な固着手段３により固着可能とされており、従って、固着手段３を離脱すれば、図２に示すように、バッグ本体１は、カバー体２から取出し可能である。
【００１５】
（バッグ本体）
図３は、バッグ本体１の１例を示している。バッグ本体１は、底部４と側部５により囲まれた物品収納室６を有しており、全体として柔軟なシートにより形成されている。
【００１６】
図例の場合、側部５は、ほぼ対称となるように形成された正面シート７と背面シート８の間に物品収納室６を形成し、正面シート７と背面シート８の両側部の対向縁を谷折り状に折曲自在な襠シート９により連結している。好ましくは、正面シート７及び背面シート８は、防水性を有するシート素材により形成され、襠シート９は、透水手段１０ａを兼備したネットシート素材により形成されている。
【００１７】
底部４は、正面シート７と背面シート８の折曲延長部７ａ、８ａにより両側縁部を形成され、折曲延長部７ａ、８ａを相互に透水手段１０ｂを構成するネットシート素材１１により連結している。
【００１８】
図３（Ｂ）に示すように、物品収納室６は、底部４の上で正面シート７と背面シート８の間に上部開口状の空間を形成するが、好ましくは、襠シート９、９の間に吊持された仕切りとしての小物用袋１２や、正面シート７と背面シート８の一方又は双方の内側に沿って吊持された小物用袋１３のような区分けされた小物入れを設けるのが好ましい。
【００１９】
このような構成において、物品収納室６の上部開口縁に近傍して、正面シート７と背面シート８の相互間には、雄手段１４ａと雌手段１４ｂとから成る嵌脱自在なスナップボタンにより構成された開閉手段１４が設けられている。従って、開閉手段１４を相互に嵌着することにより物品収納室６の上部開口を閉鎖し、開閉手段１４を離脱することにより物品収納室６の上部開口を開放することができる。
【００２０】
更に、正面シート７と背面シート８の上縁には、それぞれ逆Ｕ字形の提手１５、１６が設けられている。従って、提手１５、１６を握持することにより、バッグ本体１を自由に持ち運ぶことができる。
【００２１】
（カバー体）
カバー体２は、図２に示すように、バッグ本体１の底部４を覆う底部シート１７と、バッグ本体１の側部５を覆う側部シート１８により、上部開放状の袋状に構成され、底部シート１７と側部シート１８をそれぞれ柔軟なビニールシート等の非透水性シート素材により形成している。
【００２２】
図示実施形態の場合、底部シート１７は、ほぼ長方形状に形成され、その４辺から起立して側部シート１８を構成するように、バッグ本体１の正面シート７と背面シート８を覆う正面カバー部１８ａと背面カバー部１８ｂが延設され、バッグ本体１の襠シート９、９を覆う側面カバー部１８ｃ、１８ｄが設けられている。図例の場合、側部シート１８は、図示する縫合用のテープ生地１９を除いて全体が透明（半透明を含む意味である。以下同じ）に形成しているが、少なくとも正面カバー部１８ａと背面カバー部１８ｂを透明に形成している。
【００２３】
（固着手段）
図２に示すように、バッグ本体１の正面シート７及び背面シート８と、カバー体２の正面カバー部１８ａと背面カバー部１８ｂとの相互には、一方に設けられた雄手段３ａと他方に設けられた雌手段３ｂとから成る嵌脱自在なスナップボタンにより構成された着脱自在な固着手段３が設けられている。このような固着手段３は、図例のように、正面シート７と正面カバー部１８ａとの間、背面シート８と背面カバー部１８ｂとの間に、それぞれ２個を設けるのが好ましく、カバー体２の上部開口縁に近傍して設けるのが好ましい。尚、固着手段３を構成するスナップボタンと、開閉手段１４を構成するスナップボタンは、同一形状同一構造の同一部品により構成しておけば、製造コストが安価となる。
【００２４】
（作用）
上記実施形態の構成によれば、バッグ本体１は、それ自体を単独で持ち運ぶことが可能であり、図３（Ａ）に示すように、小物袋１２、１３を含む物品収納室６に所望の物品を収納することができ、開閉手段１４を介して上部開口を開閉することにより、物品を取出すことができる。そして、全体として防水性を有するので、水がかかっても問題はなく、シャンプーや石鹸、タオル等を収納した状態で浴場等に持ち込むことができる。
【００２５】
そこで、ユーザは、入浴後、濡れたタオル等を含む物品を再度バッグ本体１に収納し、脱衣場等に持ち帰れば良い。この際、バッグ本体１は、底部４に透水手段１０ｂを有すると共に、襠シート９、９にも透水手段１０ａを構成しているので、濡れたタオル等から滲出する水を外部に排出せしめ、バッグ本体１の内部に滞留せしめることはない。
【００２６】
ところで、ユーザが脱衣場等から出る際には、図１に示すように、バッグ本体１をカバー体２に収容し、固着手段３を固着する。この際、固着手段３は、雄手段３ａと雌手段３ｂとから成る嵌脱自在なスナップボタンにより構成されているので、ワンタッチでの着脱が可能であり、作業が迅速容易である。この点に関して、ユーザが雄手段３ａと雌手段３ｂの相対位置を視認できないと作業が困難になるのに対し、前述のようにスナップボタンを外部から視認可能とするようにカバー体２の正面カバー部１８ａと背面カバー部１８ｂが透明に形成されているので、雄手段３ａと雌手段３ｂの相対位置を視認しつつ容易に作業を行うことができる。
【００２７】
バッグ本体１にはカバー体２が一体的に取付けられるので、提手１５、１６を握持することにより、カバー付きのバッグとして自由に持ち運ぶことができ、この際、バッグ本体１からの排水は、カバー体２に滞留せしめられるので、周囲を濡らすことはない。
【００２８】
本発明の濡れ物用バッグは、上述のような浴場における入浴の他、海水浴や、スイミングプール等においても、同様の使用方法により便利に使用できる。
【図面の簡単な説明】
【００２９】
【図１】本発明の１実施形態を示しており、バッグ本体をカバー体に収容した状態を示す斜視図である。
【図２】バッグ本体をカバー体から分離した状態で示す斜視図である。
【図３】バッグ本体の詳細を示しており、（Ａ）は物品収納室の上部開口を開放した状態を示す斜視図、（Ｂ）は一部を破断し物品収納室の内部を示す斜視図である。
【符号の説明】
【００３０】
１  バッグ本体
２  カバー体
３  固着手段
３ａ  雄手段
３ｂ  雌手段
４  バッグ本体の底部
５  バッグ本体の側部
６  物品収納室
７  正面シート
８  背面シート
９  襠シート
１０ａ、１０ｂ  透水手段
１４  開閉手段
１５、１６  提手
１７  カバー体の底部シート
１８  カバー体の側部シート
１８ａ  正面カバー部
１８ｂ  背面カバー部
【図１】
2007275487.tif 000003
【図２】
2007275487.tif 000004
【図３】
2007275487.tif 000005